Podtech/llm-jp-corpus-v4-ja_patent huggingface dataset:
【手続補正書】
【提出日】令和1年5月20日(2019.5.20)
【手続補正１】
【補正対象書類名】特許請求の範囲
【補正対象項目名】全文
【補正方法】変更
【補正の内容】
【特許請求の範囲】
【請求項１】
Ｃｕ合金芯材と、前記Ｃｕ合金芯材の表面に形成されたＰｄ被覆層とを有する線径１５μｍ以上５０μｍ以下の半導体装置用ボンディングワイヤにおいて、
前記ボンディングワイヤのワイヤ軸に垂直方向の芯材断面に対して結晶方位を測定した結果において、ワイヤ長手方向の結晶方位のうち、ワイヤ長手方向に対して角度差が１５度以下である結晶方位＜１００＞の方位比率が３０％以上であり、
前記ボンディングワイヤのワイヤ軸に垂直方向の芯材断面における平均結晶粒径が、０．９μｍ以上１．５μｍ以下であり、
前記ボンディングワイヤがＮｉ、Ｚｎ、Ｒｈ、Ｉｎ、Ｉｒ、Ｐｔから選ばれる少なくとも１種以上の元素を含み、
前記ボンディングワイヤがさらにＢ、Ｐ、Ｍｇ、Ｃａ、Ｌａから選ばれる少なくとも１種以上の元素を含むことを特徴とする半導体装置用ボンディングワイヤ。
【請求項２】
ワイヤ全体に対する、前記Ｂ、Ｐ、Ｍｇ、Ｃａ、Ｌａから選ばれる少なくとも１種以上の元素の濃度がそれぞれ１質量ｐｐｍ以上２００質量ｐｐｍ以下であることを特徴とする請求項１記載の半導体装置用ボンディングワイヤ。
【請求項３】
前記Ｐｄ被覆層の厚さが０．０１５μｍ以上０．１５０μｍ以下であることを特徴とする請求項１又は２記載の半導体装置用ボンディングワイヤ。
【請求項４】
ワイヤ全体に対する、前記Ｎｉ、Ｚｎ、Ｒｈ、Ｉｎ、Ｉｒ、Ｐｔから選ばれる少なくとも１種以上の元素の濃度が総計で０．０５０質量％以上２質量％以下であることを特徴とする請求項１〜３のいずれか１項記載の半導体装置用ボンディングワイヤ。
【請求項５】
前記Ｃｕ合金芯材が、Ｎｉ、Ｐｄ及びＰｔからなる群から選択される１種以上の元素を総計で０．１質量％以上２．０質量％以下含有することを特徴とする請求項１〜３のいずれか１項記載の半導体装置用ボンディングワイヤ。
【請求項６】
前記Ｐｄ被覆層上にさらにＡｕとＰｄを含む合金表皮層を有することを特徴とする請求項１〜５のいずれか１項記載の半導体装置用ボンディングワイヤ。
【請求項７】
前記ＡｕとＰｄを含む合金表皮層の厚さが０．０５０μｍ以下であることを特徴とする請求項６記載の半導体装置用ボンディングワイヤ。
【手続補正書】
【提出日】平成30年11月21日(2018.11.21)
【手続補正１】
【補正対象書類名】特許請求の範囲
【補正対象項目名】請求項１２
【補正方法】変更
【補正の内容】
【請求項１２】
第１導電型の半導体材料で形成されたドリフト層と、
前記ドリフト層の表面に設けられたセル部と、
前記ドリフト層の表面における前記セル部の周囲に設けられた外周部と、
前記ドリフト層の裏面に設けられ、前記第１導電型を有するバッファ層と、
前記バッファ層の裏面において前記セル部の直下領域および前記外周部の直下領域に渡って設けられ、第２導電型を有し、前記外周部の直下領域における不純物濃度が前記セル部の直下領域における不純物濃度よりも低いコレクタ層と、
を備える半導体装置。
【手続補正書】
【提出日】平成31年1月10日(2019.1.10)
【手続補正１】
【補正対象書類名】特許請求の範囲
【補正対象項目名】全文
【補正方法】変更
【補正の内容】
【特許請求の範囲】
【請求項１】
電極（２１、２２）を有する搭載部材（２）が接合部材（５、６）を介して導電性部材（１、３）に電気的、機械的に接続された半導体装置において、
前記電極を有する前記搭載部材と、
前記電極と対向して配置される前記導電性部材と、
前記搭載部材と前記導電性部材との間に配置され、前記電極と前記導電性部材とを電気的、機械的に接続する前記接合部材と、を備え、
前記接合部材は、銀粒子（８）に、銀原子より凝集エネルギーが高い金属原子を含む補助粒子（９）が添加された焼結体で構成されており、
前記補助粒子は、前記金属原子の酸化物、または炭化物で構成されている半導体装置。
【請求項２】
前記補助粒子は、前記銀粒子よりも平均粒径が小さくされている請求項１に記載の半導体装置。
【請求項３】
前記金属原子は、タングステン、モリブデン、ニオブ、またはバナジウムのいずれかである請求項１または２に記載の半導体装置。
【請求項４】
電極（２１、２２）を有する搭載部材（２）と、
前記電極と対向して配置される導電性部材（１、３）と、
前記搭載部材と前記導電性部材との間に配置され、前記電極と前記導電性部材とを電気的、機械的に接続する接合部材（５、６）と、を備え、
前記接合部材は、銀粒子（８）に、銀原子より凝集エネルギーが高い金属原子を含む補助粒子（９）が添加された焼結体で構成されており、
前記補助粒子は、前記金属原子の酸化物、または炭化物で構成されている半導体装置の製造方法であって、
前記銀粒子に前記補助粒子が添加されたペースト材料を用意することを行い、
前記ペースト材料を所定箇所に塗布した後に焼結することにより、前記接合部材を構成する半導体装置の製造方法。
【手続補正２】
【補正対象書類名】明細書
【補正対象項目名】発明の名称
【補正方法】変更
【補正の内容】
【発明の名称】半導体装置およびその製造方法
【手続補正３】
【補正対象書類名】明細書
【補正対象項目名】０００１
【補正方法】変更
【補正の内容】
【０００１】
本発明は、電極を有する搭載部材が接合部材を介して導電性部材に接続された半導体装置およびその製造方法に関するものである。
【手続補正４】
【補正対象書類名】明細書
【補正対象項目名】０００５
【補正方法】変更
【補正の内容】
【０００５】
本発明は上記点に鑑み、高温で長時間保持される場合であっても、接合部材が破壊されることを抑制できる半導体装置およびその製造方法を提供することを目的とする。
【手続補正５】
【補正対象書類名】明細書
【補正対象項目名】０００６
【補正方法】変更
【補正の内容】
【０００６】
上記目的を達成するための請求項１では、電極（２１、２２）を有する搭載部材（２）が接合部材（５、６）を介して導電性部材（１、３）に電気的、機械的に接続された半導体装置において、電極を有する搭載部材と、電極と対向して配置される導電性部材と、搭載部材と導電性部材との間に配置され、電極と導電性部材とを電気的、機械的に接続する接合部材と、を備え、接合部材は、Ａｇ粒子（８）に、Ａｇ原子より凝集エネルギーが高い金属原子を含む補助粒子（９）が添加された焼結体で構成されており、補助粒子は、金属原子の酸化物、または炭化物で構成されるものとしている。
【手続補正書】
【提出日】令和1年10月10日(2019.10.10)
【手続補正１】
【補正対象書類名】明細書
【補正対象項目名】００８６
【補正方法】変更
【補正の内容】
【００８６】
検知部Ａｄは、供給部８０Ａから受信アンテナＡに供給される電源の電圧を検知して、電圧が所定の閾値以上か否かを判定する。インダクタＡｉは、受信回路Ａｃからの受信信号の検知部Ａｄへの伝送を防止する。スイッチＡｓは、検知部Ａｄの検知結果に基づいて受信回路Ａｃと出力端子Ａｏとの電気的な接続・非接続を切り替える。すなわち、例えば、スイッチＡｓは、電圧が所定の閾値以上のとき受信回路Ａｃと出力端子Ａｏとを接続し、電圧が所定の閾値より低いとき受信回路Ａｃと出力端子Ａｏとを切断する。換言すると、供給部８０Ａは、受信アンテナＡの動作を制御するアンテナ制御部として機能する。
【手続補正書】
【提出日】令和1年7月9日(2019.7.9)
【手続補正１】
【補正対象書類名】明細書
【補正対象項目名】００１７
【補正方法】変更
【補正の内容】
【００１７】
図１及び図２を参照すると、本発明の実施の形態によるコネクタ１０は、上下方向（Ｚ方向）において対象物（回路基板）８０の上に搭載可能である。即ち、コネクタ１０は、使用時に回路基板８０に搭載される基板コネクタである。また、コネクタ１０は、相手側コネクタ７０とＺ方向（嵌合方向）に沿って嵌合可能である。コネクタ１０は、相手側コネクタ７０と嵌合した嵌合状態において、相手側コネクタ７０と電気的に接続され、これにより相手側コネクタ７０は、回路基板８０と電気的に接続される。
【手続補正書】
【提出日】令和1年10月21日(2019.10.21)
【手続補正１】
【補正対象書類名】特許請求の範囲
【補正対象項目名】全文
【補正方法】変更
【補正の内容】
【特許請求の範囲】
【請求項１】
供給部にて溶射材料の粉末をプラズマ生成ガスにより運び、前記供給部の先端部の開口から噴射する供給部と、
噴射された前記プラズマ生成ガスを用いて前記供給部と軸芯が共通するプラズマを生成するプラズマ生成部と、
前記軸芯に対して放射状に設けられる複数の電磁石を有し、前記プラズマの生成空間に磁場を発生する磁場発生部と、
前記磁場発生部の前記複数の電磁石の磁極の配置を制御し、前記生成するプラズマの偏向を制御する制御部と、
を有するプラズマ溶射装置。
【請求項２】
前記制御部は、前記複数の電磁石の磁極の配置情報とプラズマの偏向情報とを対応付けたプロファイルを記憶した記憶部から、第１の膜の特性に応じた第１のプロファイルを参照して前記複数の電磁石に流す電流を制御し、前記第１の膜の形成を制御する、
請求項１に記載のプラズマ溶射装置。
【請求項３】
前記制御部は、前記記憶部に記憶したプロファイルのうち、第２の膜の特性に応じた第２のプロファイルを参照して前記複数の電磁石に流す電流を制御し、前記第１の膜と前記第２の膜との連続的な膜の形成を制御する、
請求項２に記載のプラズマ溶射装置。
【請求項４】
前記制御部は、前記記憶部に記憶したプロファイルのうち、前記プラズマ溶射装置内のクリーニングを行うための第３のプロファイルを参照して前記複数の電磁石に流す電流を制御し、前記供給部から溶射材料の粉末を出さずに前記プラズマ溶射装置内の所定のパーツを洗浄する、
請求項２又は３に記載のプラズマ溶射装置。
【請求項５】
前記複数の電磁石のうち向かい合う電磁石の一方がＳ極であり、他方がＮ極である、
請求項１〜４のいずれか一項に記載のプラズマ溶射装置。
【請求項６】
前記磁場発生部は、前記軸芯の周りを回転機構により回転するように構成されている、
請求項１〜５のいずれか一項に記載のプラズマ溶射装置。
【請求項７】
前記供給部は、粒径が１〜１０μｍの溶射用粉末を噴射する、
請求項１〜６のいずれか一項に記載のプラズマ溶射装置。
【請求項８】
供給部にて溶射材料の粉末をプラズマ生成ガスにより運び、前記供給部の先端部の開口から噴射し、
噴射された前記プラズマ生成ガスを用いて前記供給部と軸芯が共通するプラズマを生成し、
前記プラズマの生成空間に磁場を発生させ、
前記発生させる磁場を制御し、前記生成するプラズマの偏向を制御する、
溶射制御方法。
【手続補正２】
【補正対象書類名】明細書
【補正対象項目名】０００７
【補正方法】変更
【補正の内容】
【０００７】
上記課題を解決するために、一の態様によれば、供給部にて溶射材料の粉末をプラズマ生成ガスにより運び、前記供給部の先端部の開口から噴射する供給部と、噴射された前記プラズマ生成ガスを用いて前記供給部と軸芯が共通するプラズマを生成するプラズマ生成部と、前記軸芯に対して放射状に設けられる複数の電磁石を有し、前記プラズマの生成空間に磁場を発生する磁場発生部と、前記磁場発生部の前記複数の電磁石の磁極の配置を制御し、前記生成するプラズマの偏向を制御する制御部と、を有するプラズマ溶射装置が提供される。
【手続補正書】
【提出日】令和1年8月2日(2019.8.2)
【手続補正１】
【補正対象書類名】特許請求の範囲
【補正対象項目名】全文
【補正方法】変更
【補正の内容】
【特許請求の範囲】
【請求項１】
遊技の進行を制御する主制御部からのコマンドに基づいて演出の進行を制御可能な演出制御部を備える遊技機であって、
前記演出制御部は、
演出画像を描画するための画像のデータを記憶させた記憶素子を備えた演出データ基板と、
前記演出データ基板から読み出した前記画像のデータから、前記演出画像を作成して複数の方式の信号を出力する画像作成基板と、
前記画像作成基板からの前記複数の方式の信号から、画像表示装置で表示するために必要な方式の信号を前記画像表示装置に出力する画像出力基板と、
を少なくとも含み、
前記演出制御部の各基板は開放するためには封印部を破壊する必要がある基板ボックスに収容され、
前記画像作成基板は、前記演出データ基板および前記画像出力基板と個別にコネクタで接続され、
前記画像作成基板と前記画像出力基板を接続するコネクタは基板の取付けの誤差を吸収することが可能なフローティング機構を備えた基板間コネクタであること
を特徴とした遊技機。
【手続補正２】
【補正対象書類名】明細書
【補正対象項目名】０００２
【補正方法】変更
【補正の内容】
【０００２】
従来より、図柄、各種背景画像、文字、キャラクタなどの画像データが記憶されるＲＯＭ、種々の画像を表示する表示装置を制御するＣＰＵ等が実装される演出制御基板等を備える遊技機が提案されている（例えば、特許文献１）。
【手続補正３】
【補正対象書類名】明細書
【補正対象項目名】０００３
【補正方法】変更
【補正の内容】
【０００３】
【特許文献１】特開２０１６−１１６６６７号公報（図２）
【手続補正４】
【補正対象書類名】明細書
【補正対象項目名】０００４
【補正方法】変更
【補正の内容】
【０００４】
ところで、表示装置に入力される映像信号の方式には複数種類のものがある。このため、特許文献１に記載される遊技機においては、表示装置に入力される映像信号に合わせて演出制御基板を改変して製造する必要があり、演出制御基板のコストを抑制することが困難であった。
【手続補正５】
【補正対象書類名】明細書
【補正対象項目名】０００５
【補正方法】変更
【補正の内容】
【０００５】
本発明は、このような事情に鑑みてなされたものであり、その目的とするところは、演出制御基板のコストを抑制することができる遊技機を提供することにある。
【手続補正６】
【補正対象書類名】明細書
【補正対象項目名】０００７
【補正方法】変更
【補正の内容】
【０００７】
（解決手段１）
遊技の進行を制御する主制御部からのコマンドに基づいて演出の進行を制御可能な演出制御部を備える遊技機であって、前記演出制御部は、演出画像を描画するための画像のデータを記憶させた記憶素子を備えた演出データ基板と、前記演出データ基板から読み出した前記画像のデータから、前記演出画像を作成して複数の方式の信号を出力する画像作成基板と、前記画像作成基板からの前記複数の方式の信号から、画像表示装置で表示するために必要な方式の信号を前記画像表示装置に出力する画像出力基板と、を少なくとも含み、前記演出制御部の各基板は開放するためには封印部を破壊する必要がある基板ボックスに収容され、前記画像作成基板は、前記演出データ基板および前記画像出力基板と個別にコネクタで接続され、前記画像作成基板と前記画像出力基板を接続するコネクタは基板の取付けの誤差を吸収することが可能なフローティング機構を備えた基板間コネクタであることを特徴とした遊技機。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】変更
【補正の内容】
【００１４】
本発明の遊技機においては、演出制御基板のコストを抑制することができる。
【手続補正書】
【提出日】令和1年7月29日(2019.7.29)
【手続補正１】
【補正対象書類名】特許請求の範囲
【補正対象項目名】全文
【補正方法】変更
【補正の内容】
【特許請求の範囲】
【請求項１】
所定の始動条件の成立に基づいて抽選を行い、前記抽選の結果が特定結果である場合に、遊技者に有利な遊技に制御する遊技機において、
前記遊技機は前記抽選の結果に従って遊技の進行を制御する主制御部からのコマンドに基づいて演出の制御を行う演出制御部を備え、
前記演出制御部は少なくとも基板ボックスに収容されたデータ基板、画像作成基板、画像出力基板を含み、
前記データ基板は少なくとも演出画像データを記憶させた記憶素子を備え、
前記画像作成基板は前記データ基板の前記記憶素子から読み出した前記演出画像データから、演出画像を作成して複数の方式の信号を出力し、
前記画像出力基板は前記画像作成基板から出力された前記複数の方式の信号の中から、画像表示装置で表示するために必要な方式の信号を前記画像表示装置に出力するものであり、
前記データ基板と前記画像作成基板を接続するコネクタは、基板同士を直接電気的に接続する基板間コネクタであり、
さらに前記基板ボックスは封印部を備え、前記基板ボックスを開放するには、前記封印部を破壊する必要がある
ことを特徴とした遊技機。
【手続補正２】
【補正対象書類名】明細書
【補正対象項目名】０００２
【補正方法】変更
【補正の内容】
【０００２】
従来より、図柄、各種背景画像、文字、キャラクタなどの画像データが記憶されるＲＯＭ、種々の画像を表示する表示装置を制御するＣＰＵ等が実装される演出制御基板等を備える遊技機が提案されている（例えば、特許文献１）。
【手続補正３】
【補正対象書類名】明細書
【補正対象項目名】０００３
【補正方法】変更
【補正の内容】
【０００３】
【特許文献１】特開２０１６−１１６６６７号公報（図２）
【手続補正４】
【補正対象書類名】明細書
【補正対象項目名】０００４
【補正方法】変更
【補正の内容】
【０００４】
ところで、表示装置に入力される映像信号の方式には複数種類のものがある。このため、特許文献１に記載される遊技機においては、表示装置に入力される映像信号に合わせて演出制御基板を改変して製造する必要があり、演出制御基板のコストを抑制することが困難であった。
【手続補正５】
【補正対象書類名】明細書
【補正対象項目名】０００５
【補正方法】変更
【補正の内容】
【０００５】
本発明は、このような事情に鑑みてなされたものであり、その目的とするところは、演出制御部のコストを抑制することができる遊技機を提供することにある。
【手続補正６】
【補正対象書類名】明細書
【補正対象項目名】０００７
【補正方法】変更
【補正の内容】
【０００７】
（解決手段１）
所定の始動条件の成立に基づいて抽選を行い、前記抽選の結果が特定結果である場合に、遊技者に有利な遊技に制御する遊技機において、前記遊技機は前記抽選の結果に従って遊技の進行を制御する主制御部からのコマンドに基づいて演出の制御を行う演出制御部を備え、前記演出制御部は少なくとも基板ボックスに収容されたデータ基板、画像作成基板、画像出力基板を含み、前記データ基板は少なくとも演出画像データを記憶させた記憶素子を備え、前記画像作成基板は前記データ基板の前記記憶素子から読み出した前記演出画像データから、演出画像を作成して複数の方式の信号を出力し、前記画像出力基板は前記画像作成基板から出力された前記複数の方式の信号の中から、画像表示装置で表示するために必要な方式の信号を前記画像表示装置に出力するものであり、前記データ基板と前記画像作成基板を接続するコネクタは、基板同士を直接電気的に接続する基板間コネクタであり、さらに前記基板ボックスは封印部を備え、前記基板ボックスを開放するには、前記封印部を破壊する必要があることを特徴とした遊技機。
【手続補正７】
【補正対象書類名】明細書
【補正対象項目名】０００８
【補正方法】変更
【補正の内容】
【０００８】
上記解決手段１によれば、機種や遊技仕様によって異なる演出画像を変更するためにはデータ基板を交換し、画像表示装置によって要求される方式の信号を出力するために画像出力基板を交換すればよい。一方で画像作成基板は同じ基板を使い回すことが出来るのでコストの抑制になる。
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】変更
【補正の内容】
【００１４】
本発明の遊技機においては、演出制御部のコストを抑制することができる。
【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
近赤外波長帯域に属する蛍光を発する第１の蛍光物質と、可視光波長帯域に属する蛍光を発する第２の蛍光物質と、を含む複数種類の蛍光物質それぞれについて、当該蛍光物質の励起波長の少なくとも一部の波長帯域の成分を含む光を、所定の撮像対象物に対して照射する光源装置と、
所定の光学系ユニットにより取得された像を撮像する撮像装置と、
を備え、
前記撮像装置は、
前記可視光波長帯域に属する光と、前記近赤外波長帯域に属する光と、を分離するダイクロイック膜を有する分岐光学系と、
前記分岐光学系の後段に設けられ、前記ダイクロイック膜により分離された前記近赤外波長帯域に属する光が結像する第１の撮像素子と、
前記分岐光学系の後段に設けられ、前記ダイクロイック膜により分離された前記可視光波長帯域に属する光のうち少なくとも一部が結像する第２の撮像素子と、
を有し、
前記第１の蛍光物質が発する蛍光の蛍光像は、前記第１の撮像素子により撮像され、
前記第２の蛍光物質が発する蛍光の蛍光像は、前記第２の撮像素子により撮像される、
撮像システム。
【請求項２】
前記撮像装置は、前記ダイクロイック膜により分離され前記第２の撮像素子に結像する光の光路中に配設され、可視光波長帯域と近赤外波長帯域との境界に対応する波長以下の波長を有する光を透過させるショートパスフィルタを有する、請求項１に記載の撮像システム。
【請求項３】
前記撮像装置は、
前記分岐光学系の前段に設けられ、前記第１の蛍光物質の励起波長の少なくとも一部の波長帯域の光を阻止するノッチフィルタと、
前記ダイクロイック膜により分離され前記第１の撮像素子に結像する光の光路中に配設され、前記境界に対応する波長以上の波長を有する光を透過させるロングパスフィルタと、
を有する、請求項２に記載の撮像システム。
【請求項４】
前記撮像装置は、前記ダイクロイック膜により分離され前記第１の撮像素子に結像する光の光路中に配設され、前記第１の蛍光物質が発する蛍光の波長帯域の少なくとも一部の波長帯域の光を透過し、かつ、当該第１の蛍光物質の励起波長の少なくとも一部の波長帯域の光を阻止するバンドパスフィルタを有する、請求項２に記載の撮像システム。
【請求項５】
前記分岐光学系は、前記ダイクロイック膜である第１のダイクロイック膜により分離された前記可視光波長帯域に属する光を、前記第２の蛍光物質が発する蛍光の波長帯域の少なくとも一部の波長帯域を含む第１の波長帯域に属する光と、前記第１の波長帯域とは異なる第２の波長帯域に属する光と、に分離する第２のダイクロイック膜を有し、
前記第２の撮像素子は、前記第１のダイクロイック膜に分離された前記可視光波長帯域に属する光のうち、前記第２のダイクロイック膜により分離された第１の波長帯域に属する光が結像し、
前記撮像装置は、
前前記第１のダイクロイック膜に分離された前記可視光波長帯域に属する光のうち、前記第２のダイクロイック膜により分離された第２の波長帯域に属する光が結像する第３の撮像素子と、
前記第１のダイクロイック膜により分離され前記第１の撮像素子に結像する光の光路中に配設され、前記第１の蛍光物質が発する蛍光の波長帯域の少なくとも一部の波長帯域の光を透過し、かつ、当該第１の蛍光物質の励起波長の少なくとも一部の波長帯域の光を阻止する第１のバンドパスフィルタと、
前記第２のダイクロイック膜により分離され前記第２の撮像素子に結像する光の光路中に配設され、前記第１の波長帯域の少なくとも一部の波長帯域の光を透過する第２のバンドパスフィルタと、
前記第２のダイクロイック膜により分離され前記第３の撮像素子に結像する光の光路中に配設され、前記第２の波長帯域の少なくとも一部の波長帯域の光を透過する第３のバンドパスフィルタと、
を有する、
請求項１に記載の撮像システム。
【請求項６】
前記第１の波長帯域は、前記可視光波長帯域のうち、Ｒ成分の波長帯域を含む長波長側の波長帯域であり、
前記第２の波長帯域は、前記可視光波長帯域のうち、Ｇ成分及びＢ成分の波長帯域を含む短波長側の波長帯域である、
請求項５に記載の撮像システム。
【請求項７】
前記光源装置は、
前記可視光波長帯域において連続的に分布し、かつ、所定の波長位置において所定の閾値以上のピークを有する第１の光と、
前記近赤外波長帯域のうちの、前記第１の蛍光物質の励起波長の少なくとも一部の波長帯域の成分を含む第２の光と、
を照射する、
請求項１〜６のいずれか一項に記載の撮像システム。
【請求項８】
前記光源装置は、
複数の波長位置において前記ピークを有する前記第１の光を照射する第１の光源部と、
前記第２の光を照射する第２の光源部と、
を含み、
前記第１の光源部は、前記複数の波長位置のうち、少なくとも、前記第２の蛍光物質が発する蛍光の波長帯域に含まれる、または、当該波長帯域のより近傍に位置する前記波長位置に対応する光の出力を制御可能に構成されている、
請求項７に記載の撮像システム。
【請求項９】
前記第１の光は、Ｒ成分、Ｇ成分、及びＢ成分それぞれに対応する波長位置において前記ピークを有し、
前記第１の光源部は、前記第１の光のうち、少なくとも、前記Ｒ成分に対応する光の出力を制御可能に構成されている、
請求項８に記載の撮像システム。
【請求項１０】
前記第１の光源部は、レーザー光源である、請求項８または９に記載の撮像システム。
【請求項１１】
前記光学系ユニットとして、被検体の体腔内に挿入される鏡筒を含む内視鏡部を備える、請求項１〜１０のいずれか一項に記載の撮像システム。
【請求項１２】
前記光学系ユニットとして、前記撮像対象物の拡大像を取得する顕微鏡部を備える、請求項１〜１０のいずれか一項に記載の撮像システム。
【手続補正２】
【補正対象書類名】明細書
【補正対象項目名】０１７１
【補正方法】変更
【補正の内容】
【０１７１】
ストレージ装置９１９は、情報処理装置９００の記憶部の一例として構成されたデータ格納用の装置である。ストレージ装置９１９は、例えば、ＨＤＤ（Ｈａｒｄ  Ｄｉｓｋ  Ｄｒｉｖｅ）等の磁気記憶デバイス、半導体記憶デバイス、光記憶デバイス又は光磁気記憶デバイス等により構成される。このストレージ装置９１９は、ＣＰＵ９０１が実行するプログラムや各種データ等を格納する。
【手続補正書】
【提出日】令和1年5月29日(2019.5.29)
【手続補正１】
【補正対象書類名】特許請求の範囲
【補正対象項目名】全文
【補正方法】変更
【補正の内容】
【特許請求の範囲】
【請求項１】
紐状態にブラシを連結し、ブラシは回転、及び移動時に汚れを除去する瓶内洗浄用ブラシ。
【手続補正２】
【補正対象書類名】明細書
【補正対象項目名】全文
【補正方法】変更
【補正の内容】
【発明の詳細な説明】
【発明の名称】瓶内洗浄用ブラシ
【技術分野】
【０００１】            本発明は、瓶内の洗浄時に、ブラシの回転、及び移動時に汚れを除去する瓶内洗浄用ブラシに関するものである。
【背景技術】
【０００２】            従来、瓶内を洗浄するブラシは、握り部とブラシは直線的に形成していて、ブラシを瓶の開口部から挿入し、手動で汚れを除去していた。
【発明の概要】
【発明が解決しようとする課題】
【０００３】            そのため次ぎのような欠点があった。
直線形のブラシは、、瓶の形状に凹凸がある場合は、その凹部の内面にブラシは接触困難、或いは不可能である。又、瓶の開口部が小径で内径が大径の場合は、内面にブラシが届かないなど、ブラシが内面に接触できる範囲は限られ不便で、洗浄効果は完全では無い。
【発明が解決しようとする手段】
【０００４】弾性体を取り付けた紐状態にブラシを連結する。ブラシは移動及び回転時に、自動的に汚れを除去する瓶内洗浄用ブラシである。
【発明の効果】
【０００５】      本発明は、瓶内の洗浄時、瓶を振りブラシを瓶内で転動させる。ブラシは転動しながら自動的に内面に接触し、且つ擦り、汚れを余さず除去する。したがって、容易な操作で効率よく効果を果し、作業を速やかにし、洗浄作業の煩わしさは無い。
【図面の簡単な説明】
【０００６】
【図１】  本発明の正面図
【図２】  本発明の弾性体拡大縦断面図
【図３】  本発明の弾性体拡大横断面図
【図４】  本発明の使用状態を示す瓶断面図
【発明を実施するための形態】
【０００７】      以下、発明を実施するための形態を説明する。
（ィ）中心に極小径の孔（６）を設けた複数個の弾性体（２）の孔（６）に、紐状態（１）を通し取り付ける。
（ロ）紐状態（１）は屈曲自在である。
（ハ）弾力性ある材質からなるブラシ（３）を紐状態（１）の一端に連結する。
本発明は、以上の構成で成っている。
本発明を使用するときは、ブラシ（３）と紐状態（１）を瓶内に入れる。その際、瓶（４）の開口部（５）が小径の場合は、ブラシ（３）を無理に押し込む。そして、共に小量の水も入れ、瓶（４）を上下左右と多方向に振り中のブラシ（３）を転動させる。ブラシ（３）は転動しながら内面くまなく接触し、且つ擦り隅々の汚れも余さず除去する。
その際、弾性体（２）を取り付けている紐状態（１）はブラシ（３）と共に転動するが、弾性体（２）に設けている孔（６）は極小径で、そして自身の弾力で紐状態（１）に固定状であり、洗浄中に取り付け位置から移動や落下はなく、ブラシ（３）に絡み付いたりはない。汚れ除去終了後は、瓶開口部（５）下方に向け上下に振れば、排水と共に弾性体（２）の重量で紐状態（１）と弾性体（２）の一部が開口部（５）から瓶（４）外に垂下するため、弾力性あるブラシ（３）は小径の開口部（５）からでも容易に引き出せる。
【実施例１】
【０００８】ブラシ（３）部分の大や小試作品を多数保有していて、日々日常に使用しながら観察し、現在は必需品となり非常に重宝している。又、他家も同様使用し重宝している。
【産業上利用可能性】
【０００９】本発明は、容易な洗浄操作で目的を完全にし、作業時間を短縮する。したがって使用範囲は増大する。今後、この効果が広く理解されると、新しい瓶（４）や容器も生産され、それに伴い、ブラシ（３）の必要も多くなり、生産が増大する可能性は高い。
【符号の説明】
【０００１０】    １  紐状態
２  弾性体
３  ブラシ
４  瓶
５  開口部
６  弾性体の孔
【手続補正書】
【提出日】令和1年6月11日(2019.6.11)
【手続補正１】
【補正対象書類名】特許請求の範囲
【補正対象項目名】全文
【補正方法】変更
【補正の内容】
【特許請求の範囲】
【請求項１】
スタートスイッチの操作に基づき、複数種類の当選役の当否を当選種別抽選により決定する当選種別抽選手段と、
前記スタートスイッチの操作に応じて、複数種類の図柄がそれぞれ配列された複数の回転リールを回転制御し、回転している回転リールに対応するストップスイッチの操作に応じ、前記当選種別抽選手段の抽選結果に基づいて、操作された前記ストップスイッチに対応する回転リールをそれぞれ停止制御するリール制御手段と、
遊技の進行に応じて画像表示部に画像を表示する演出制御手段と、
を備え、
前記当選種別抽選では、複数の当選役が重複して決定される場合があり、
前記演出制御手段は、
遊技の進行に応じて任意の前記ストップスイッチの操作態様を報知する補助演出を行い、
前記補助演出を行う際に、前記当選種別抽選により決定された当選役のなかに、特定の図柄を含む当選役が含まれている場合、前記特定の図柄に対応した色彩で前記補助演出を実行可能であることを特徴とする遊技機。
【請求項２】
前記演出制御手段は、
前記補助演出を行う際に、前記補助演出で報知する任意の操作態様で前記ストップスイッチが操作された場合に、前記特定の図柄を含む当選役が入賞せず、前記任意の操作態様以外の操作態様で前記ストップスイッチが操作された場合に、前記特定の図柄を含む当選役が入賞する場合があり、前記特定の図柄に対応した色彩で前記補助演出を実行可能であることを特徴とする請求項１に記載の遊技機。
【請求項３】
前記任意の操作態様で前記ストップスイッチが操作された場合、前記特定の図柄を含む当選役が入賞する場合があることを特徴とする請求項１または２に記載の遊技機。
【請求項４】
前記演出制御手段は、
前記補助演出を行う際に、前記補助演出で報知する任意の操作態様で前記ストップスイッチが操作された場合に、前記特定の図柄を含む当選役が入賞せず、前記任意の操作態様以外のいずれの操作態様でも、前記特定の図柄を含む当選役が入賞しない場合であっても、前記特定の図柄に対応した色彩で前記補助演出を実行可能であることを特徴とする請求項１に記載の遊技機。
【手続補正２】
【補正対象書類名】明細書
【補正対象項目名】０００８
【補正方法】変更
【補正の内容】
【０００８】
上記課題を解決するために、本発明の遊技機は、スタートスイッチの操作に基づき、複数種類の当選役の当否を当選種別抽選により決定する当選種別抽選手段と、前記スタートスイッチの操作に応じて、複数種類の図柄がそれぞれ配列された複数の回転リールを回転制御し、回転している回転リールに対応するストップスイッチの操作に応じ、前記当選種別抽選手段の抽選結果に基づいて、操作された前記ストップスイッチに対応する回転リールをそれぞれ停止制御するリール制御手段と、遊技の進行に応じて画像表示部に画像を表示する演出制御手段と、を備え、前記当選種別抽選では、複数の当選役が重複して決定される場合があり、前記演出制御手段は、遊技の進行に応じて任意の前記ストップスイッチの操作態様を報知する補助演出を行い、前記補助演出を行う際に、前記当選種別抽選により決定された当選役のなかに、特定の図柄を含む当選役が含まれている場合、前記特定の図柄に対応した色彩で前記補助演出を実行可能である。
【手続補正３】
【補正対象書類名】明細書
【補正対象項目名】０００９
【補正方法】変更
【補正の内容】
【０００９】
また、前記演出制御手段は、前記補助演出を行う際に、前記補助演出で報知する任意の操作態様で前記ストップスイッチが操作された場合に、前記特定の図柄を含む当選役が入賞せず、前記任意の操作態様以外の操作態様で前記ストップスイッチが操作された場合に、前記特定の図柄を含む当選役が入賞する場合があり、前記特定の図柄に対応した色彩で前記補助演出を実行可能であるとよい。
また、前記任意の操作態様で前記ストップスイッチが操作された場合、前記特定の図柄を含む当選役が入賞する場合があるとよい。
【手続補正４】
【補正対象書類名】明細書
【補正対象項目名】００１０
【補正方法】変更
【補正の内容】
【００１０】
また、前記演出制御手段は、
前記補助演出を行う際に、前記補助演出で報知する任意の操作態様で前記ストップスイッチが操作された場合に、前記特定の図柄を含む当選役が入賞せず、前記任意の操作態様以外のいずれの操作態様でも、前記特定の図柄を含む当選役が入賞しない場合であっても、前記特定の図柄に対応した色彩で前記補助演出を実行可能であるとよい。
【手続補正書】
【提出日】令和1年5月31日(2019.5.31)
【手続補正１】
【補正対象書類名】特許請求の範囲
【補正対象項目名】全文
【補正方法】変更
【補正の内容】
【特許請求の範囲】
【請求項１】
スタートスイッチの操作に基づき、複数種類の当選役のいずれかを当選役抽選により決定する当選役抽選手段と、
前記スタートスイッチの操作に応じて、複数種類の図柄がそれぞれ配列された複数の回転リールを回転制御し、回転している回転リールに対応するストップスイッチの操作に応じ、前記当選役抽選手段の抽選結果に基づいて、操作された前記ストップスイッチに対応する回転リールをそれぞれ停止制御するリール制御手段と、
複数種類の演出画像のいずれかを表示手段に表示する演出制御手段と、
を備え、
前記当選役抽選により、当選役に対応する図柄組み合わせを、当選役の入賞判定に用いられる有効ライン上に必ずしも表示させられるとは限らない特定の当選役が決定される場合があり、
前記演出制御手段は、
前記特定の当選役が決定された遊技における最後に停止されるリールに対応するストップスイッチの操作に関するタイミングの前に、前記スタートスイッチの操作以降の所定の契機から所定時間が経過すると、当選した前記特定の当選役を示す演出画像の組み合わせを前記表示手段に表示する遊技機。
【請求項２】
スタートスイッチの操作に基づき、複数種類の当選役のいずれかを当選役抽選により決定する当選役抽選手段と、
前記スタートスイッチの操作に応じて、複数種類の図柄がそれぞれ配列された複数の回転リールを回転制御し、回転している回転リールに対応するストップスイッチの操作に応じ、前記当選役抽選手段の抽選結果に基づいて、操作された前記ストップスイッチに対応する回転リールをそれぞれ停止制御するリール制御手段と、
複数種類の演出画像のいずれかを表示手段に表示する演出制御手段と、
を備え、
前記当選役抽選により、当選役に対応する図柄組み合わせを、当選役の入賞判定に用いられる有効ライン上に必ずしも表示させられるとは限らない特定の当選役が決定される場合があり、
前記演出制御手段は、前記特定の当選役が決定された遊技において、前記有効ライン上に、前記特定の当選役に対応する図柄組み合わせが表示されている場合には、前記特定の当選役を示す演出画像の組合せを前記表示手段に表示し、前記有効ライン上に、前記特定の当選役に対応する図柄組み合わせが表示されていない場合には、前記特定の当選役を示す演出画像の組合せを前記表示手段に表示しない遊技機。
【手続補正２】
【補正対象書類名】明細書
【補正対象項目名】０００８
【補正方法】変更
【補正の内容】
【０００８】
上記課題を解決するために、本発明の遊技機は、スタートスイッチの操作に基づき、複数種類の当選役のいずれかを当選役抽選により決定する当選役抽選手段と、前記スタートスイッチの操作に応じて、複数種類の図柄がそれぞれ配列された複数の回転リールを回転制御し、回転している回転リールに対応するストップスイッチの操作に応じ、前記当選役抽選手段の抽選結果に基づいて、操作された前記ストップスイッチに対応する回転リールをそれぞれ停止制御するリール制御手段と、複数種類の演出画像のいずれかを表示手段に表示する演出制御手段と、を備え、前記当選役抽選により、当選役に対応する図柄組み合わせを、当選役の入賞判定に用いられる有効ライン上に必ずしも表示させられるとは限らない特定の当選役が決定される場合があり、前記演出制御手段は、前記特定の当選役が決定された遊技における最後に停止されるリールに対応するストップスイッチの操作に関するタイミングの前に、前記スタートスイッチの操作以降の所定の契機から所定時間が経過すると、当選した前記特定の当選役を示す演出画像の組み合わせを前記表示手段に表示することを特徴とする。
【手続補正３】
【補正対象書類名】明細書
【補正対象項目名】０００９
【補正方法】変更
【補正の内容】
【０００９】
上記課題を解決するために、本発明の他の遊技機は、スタートスイッチの操作に基づき、複数種類の当選役のいずれかを当選役抽選により決定する当選役抽選手段と、前記スタートスイッチの操作に応じて、複数種類の図柄がそれぞれ配列された複数の回転リールを回転制御し、回転している回転リールに対応するストップスイッチの操作に応じ、前記当選役抽選手段の抽選結果に基づいて、操作された前記ストップスイッチに対応する回転リールをそれぞれ停止制御するリール制御手段と、複数種類の演出画像のいずれかを表示手段に表示する演出制御手段と、を備え、前記当選役抽選により、当選役に対応する図柄組み合わせを、当選役の入賞判定に用いられる有効ライン上に必ずしも表示させられるとは限らない特定の当選役が決定される場合があり、前記演出制御手段は、前記特定の当選役が決定された遊技において、前記有効ライン上に、前記特定の当選役に対応する図柄組み合わせが表示されている場合には、前記特定の当選役を示す演出画像の組合せを前記表示手段に表示し、前記有効ライン上に、前記特定の当選役に対応する図柄組み合わせが表示されていない場合には、前記特定の当選役を示す演出画像の組合せを前記表示手段に表示しないことを特徴とする。
【手続補正４】
【補正対象書類名】明細書
【補正対象項目名】００１０
【補正方法】削除
【補正の内容】
【手続補正書】
【提出日】平成30年12月13日(2018.12.13)
【手続補正１】
【補正対象書類名】特許請求の範囲
【補正対象項目名】請求項７
【補正方法】変更
【補正の内容】
【請求項７】
前記第１方向において間隔を空けて配置された複数列をさらに有し、
各列において、前記装飾部が前記第２方向に複数並んで配置されており、
前記第１方向において隣接する前記列どうしにおいて、前記複数の装飾部の個数が互いに異なる請求項１〜６のいずれかに記載の着用物品。
【手続補正２】
【補正対象書類名】明細書
【補正対象項目名】００４３
【補正方法】変更
【補正の内容】
【００４３】
図６（ｂ）は、表１のΔＬ０１を横軸、ΔＥ０１を縦軸としたグラフである。図６（ｂ）を参照すると、基準となるインジケータ４１の色が定まっていない場合には、図６（ａ）の横軸を明度Ｌ１から明度差ΔＬ０１に置き換えることで、マスキングとして機能する離間する部位６５の色を表すことができる。明度差ΔＬ０１が小さい場合には、色差ΔＥ０１が大きくてもマスキングが可能であり、また、明度差ΔＬ０１が大きい場合には、色差ΔＥ０１が小さければマスキングとしての役割を果たすことができる。したがって、マスキングとして機能する離間する部位６５の色の領域は、境界ラインＫ２を用いて、以下のように表すことができる。
ΔＥ０１≦０．０３９３ΔＬ０１２−１．００１３ΔＬ０１＋２３．２８４（＝Ｋ２）
【手続補正書】
【提出日】平成31年4月24日(2019.4.24)
【手続補正１】
【補正対象書類名】特許請求の範囲
【補正対象項目名】請求項１
【補正方法】変更
【補正の内容】
【請求項１】
透明基材１とインキ層と接着剤層と酸素透過度が１００ＣＣ（ｍ２、２４ｈｒ、１ａｔｍ、２５℃）以下の基材２とをこの順で有する積層体であって、
インキ層についての下記（１）〜（５)、および接着剤層についての下記（１１）〜（１７）の条件を全て満たす積層体。
（１）前記インキ層が、ポリウレタンポリウレア樹脂、塩化ビニル−酢酸ビニル共重合体、顔料、および有機溶剤を含有するインキ組成物の乾燥物ないし硬化物である。
（２）前記ポリウレタンポリウレア樹脂と前記塩化ビニル−酢酸ビニル共重合体との合計１００質量％中に、前記塩化ビニル−酢酸ビニル共重合体を５〜４０質量％含有する。
（３）前記ポリウレタンポリウレア樹脂は、数平均分子量４００〜５０００の高分子ポリオール由来の構造単位と、ポリイソシアネート化合物由来の構造単位を有するポリウレタンブロックと、アミノ基を有する化合物由来の鎖延長ユニットとを有し、前記ポリウレタンブロックと前記鎖延長ユニットは、ウレア結合により結合されており前記数平均分子量４００〜５０００の高分子ポリオール１００質量％中ポリエステルポリオールを５質量％以上含む。
（４）前記ポリウレタンポリウレア樹脂の質量平均分子量が１５０００〜７００００である。
（５）前記ポリウレタンポリウレア樹脂１ｇ中に含まれるウレタン結合及びウレア結合の合計濃度が１．３〜２．４ｍｍｏｌ／ｇである。
（１１）前記接着剤層が、ポリイソシアネート成分（Ａ）とポリオール成分（Ｂ）とを含有する接着剤組成物の硬化物である。
（１２）前記ポリイソシアネート成分（Ａ）が、イソシアネート基を有するウレタンプレポリマー（ａ）と４，４’−ジフェニルメタンジイソシアネートとを含む。
（１３）前記ポリイソシアネート成分（Ａ）が、２官能のイソシアネートモノマーの三量体、２官能のイソシアネートモノマーに水が付加したビュレット体、および２官能のイソシアネートモノマーにモノアルコールが付加したアダクト体からなる群より選ばれる少なくとも１種の２官能のイソシアネートモノマーの変性体をさらに含む。
（１４）前記ポリイソシアネート成分（Ａ）が、２，４’−ジフェニルメタンジイソシアネート、ヘキサメチレンジイソシアネート、トリレンジイソシアネート、イソホロンジイソシアネート、およびキシレンジイソシアネートからなる群より選ばれる少なくとも１種のイソシアネート成分をさらに含み得る。
（１５）前記イソシアネート基を有するウレタンプレポリマー（ａ）が、４，４’−ジフェニルメタンジイソシアネートと、ポリエーテルポリオールを必須とするポリオールとの反応生成物である。
（１６）前記ポリオール成分（Ｂ）１００質量％中、数平均分子量２００以上、３０００以下のポリエーテルポリウレタンポリオールを７０〜１００質量％含む。
（１７）前記接着剤組成物１００質量％中に含まれる、４，４’−ジフェニルメタンジイソシアネート、２，４’−ジフェニルメタンジイソシアネート、トリレンジイソシアネート、イソホロンジイソシアネート、およびキシレンジイソシアネートの合計量が１０〜３４質量％である。
【手続補正書】
【提出日】令和1年9月21日(2019.9.21)
【手続補正１】
【補正対象書類名】特許請求の範囲
【補正対象項目名】全文
【補正方法】変更
【補正の内容】
【特許請求の範囲】
【請求項１】
所定条件の成立に基づいて識別情報を変動表示する識別情報表示手段と、
遊技球が入球可能な入球可能状態と、遊技球が入球不能な入球不能状態と、に変化可能な大入賞口と、
前記大入賞口に入球した遊技球を検知する検知手段と、
前記検知手段を有効期間又は無効期間に制御する状態制御手段と、
前記有効期間においては前記検知手段が遊技球を検知すると所定の特典を付与し、前記無効期間においては前記検知手段が遊技球を検知しても前記特典を付与しない特典付与手段と、
前記識別情報の変動表示の結果が特定結果となると前記大入賞口を入球可能状態とする特別遊技を実行する特別遊技実行手段と、を備えた遊技機であって、
前記大入賞口を入球可能状態とすることに基づいて前記検知手段を前記有効期間に制御すると共に、前記大入賞口を入球不能状態とした後も前記有効期間を継続するエクストラ期間を設定し、
前記エクストラ期間における判定処理として、遊技球を検知したかどうかを判定する検知判定処理と、遊技球を検知したと判定した場合に前記所定の特典を付与する特典付与処理と、予め定められた個数の遊技球を検知したかどうかを判定する個数判定処理と、予め定められた時間が経過したかどうかを判定する時間判定処理と、を有し、
前記エクストラ期間において、前記特定個数の遊技球を検知すること、又は、前記特定時間が経過すること、の少なくとも一方が成立した場合に、前記エクストラ期間を終了し、前記検知手段を前記無効期間に制御する
ことを特徴とする遊技機。
【請求項２】
前記検知判定処理及び前記個数判定処理は、前記時間判定処理よりも先に実行される判定処理であることを特徴とする請求項１に記載の遊技機。
【手続補正２】
【補正対象書類名】明細書
【補正対象項目名】０００７
【補正方法】変更
【補正の内容】
【０００７】
上述の課題を解決するための第１発明の遊技機は、
所定条件の成立に基づいて識別情報を変動表示する識別情報表示手段と、
遊技球が入球可能な入球可能状態と、遊技球が入球不能な入球不能状態と、に変化可能な大入賞口と、
前記大入賞口に入球した遊技球を検知する検知手段と、
前記検知手段を有効期間又は無効期間に制御する状態制御手段と、
前記有効期間においては前記検知手段が遊技球を検知すると所定の特典を付与し、前記無効期間においては前記検知手段が遊技球を検知しても前記特典を付与しない特典付与手段と、
前記識別情報の変動表示の結果が特定結果となると前記大入賞口を入球可能状態とする特別遊技を実行する特別遊技実行手段と、を備えた遊技機であって、
前記大入賞口を入球可能状態とすることに基づいて前記検知手段を前記有効期間に制御すると共に、前記大入賞口を入球不能状態とした後も前記有効期間を継続するエクストラ期間を設定し、
前記エクストラ期間における判定処理として、遊技球を検知したかどうかを判定する検知判定処理と、遊技球を検知したと判定した場合に前記所定の特典を付与する特典付与処理と、予め定められた個数の遊技球を検知したかどうかを判定する個数判定処理と、予め定められた時間が経過したかどうかを判定する時間判定処理と、を有し、
前記エクストラ期間において、前記特定個数の遊技球を検知すること、又は、前記特定時間が経過すること、の少なくとも一方が成立した場合に、前記エクストラ期間を終了し、前記検知手段を前記無効期間に制御する
ことを特徴とするものである。

【手続補正３】
【補正対象書類名】明細書
【補正対象項目名】０００８
【補正方法】変更
【補正の内容】
【０００８】
また、第２発明の遊技機は、第１発明の遊技機において、
前記検知判定処理及び前記個数判定処理は、前記時間判定処理よりも先に実行される判定処理であることを特徴とするものである。

【手続補正４】
【補正対象書類名】明細書
【補正対象項目名】０００９
【補正方法】削除
【補正の内容】
【手続補正書】
【提出日】平成31年2月8日(2019.2.8)
【手続補正１】
【補正対象書類名】特許請求の範囲
【補正対象項目名】全文
【補正方法】変更
【補正の内容】
【特許請求の範囲】
【請求項１】
遊技領域の右側領域に、遊技球が衝突可能であって、衝突した前記遊技球の転動方向を下方へと流下させる衝止部材が設けられるとともに所定の位置に検出手段が設けられた遊技盤と、
遊技の進行を制御する主制御基板と、
前記検出手段の検出信号を前記主制御基板に中継する遊技盤中継基板と、
を備え、
前記主制御基板、前記遊技盤中継基板および前記検出手段の少なくとも一つが露出して接続されるコネクタ部材を有し、当該コネクタ部材を介して前記検出手段と前記主制御基板とが電気的に接続される遊技機において、
前記検出手段が第１の状態のときは第１の電圧とする一方、前記検出手段が第２の状態のときは前記第１の電圧よりも低い電圧である第２の電圧とする電圧出力部と、
前記電圧出力部からの前記第１の電圧または前記第２の電圧に対応して検出信号の出力のオンオフを切り換える検知回路部と、
を備え、
前記主制御基板と前記遊技盤中継基板との何れか一方に、前記コネクタ部材に起因して発生する接触抵抗による前記第２の電圧よりも高く前記第１の電圧よりも低い所定の電圧の電圧加算作用を回避する回避部が設けられ、
前記回避部を介して前記電圧出力部と前記検知回路部とが電気的に接続されている、
ことを特徴とする遊技機。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】削除
【補正の内容】
【手続補正４】
【補正対象書類名】明細書
【補正対象項目名】００１０
【補正方法】変更
【補正の内容】
【００１０】
請求項１に係る遊技機は、遊技領域の右側領域に、遊技球が衝突可能であって、衝突した前記遊技球の転動方向を下方へと流下させる衝止部材が設けられるとともに所定の位置に検出手段が設けられた遊技盤と、遊技の進行を制御する主制御基板と、前記検出手段の検出信号を前記主制御基板に中継する遊技盤中継基板とを備え、前記主制御基板、前記遊技盤中継基板および前記検出手段の少なくとも一つが露出して接続されるコネクタ部材を有し、当該コネクタ部材を介して前記検出手段と前記主制御基板とが電気的に接続される遊技機において、前記検出手段が第１の状態のときは第１の電圧とする一方、前記検出手段が第２の状態のときは前記第１の電圧よりも低い電圧である第２の電圧とする電圧出力部と、前記電圧出力部からの前記第１の電圧または前記第２の電圧に対応して検出信号の出力のオンオフを切り換える検知回路部とを備え、前記主制御基板と前記遊技盤中継基板との何れか一方に、前記コネクタ部材に起因して発生する接触抵抗による前記第２の電圧よりも高く前記第１の電圧よりも低い所定の電圧の電圧加算作用を回避する回避部が設けられ、前記回避部を介して前記電圧出力部と前記検知回路部とが電気的に接続されていることを特徴とするものである。
【手続補正書】
【提出日】平成31年2月4日(2019.2.4)
【手続補正１】
【補正対象書類名】特許請求の範囲
【補正対象項目名】全文
【補正方法】変更
【補正の内容】
【特許請求の範囲】
【請求項１】
四周に壁部を有するトレイ容器であって、このトレイ容器の底面の四周を除いた部分を隆起部とし、この隆起部には平行する複数の立ち上がり方向のリブと、これらリブの間にはそれぞれ溝を有し、これらの溝は勾配を与えられた傾斜溝として、前記底面の四周の一部に設けられた油だまりに前記傾斜溝の最低部を連絡させたことを特徴とするトレイ容器。
【請求項２】
複数の傾斜溝は、中央部を境界として一方の傾斜溝と他方の傾斜溝に分かれ、それぞれの勾配を逆の勾配とした請求項１記載のトレイ容器。
【請求項３】
傾斜溝の最高部から底面の外周に向かって平坦部をさらに設けた請求項２記載のトレイ容器。
【請求項４】
平坦部には、さらに枕部を膨出した請求項３記載のトレイ容器。
【手続補正書】
【提出日】令和1年7月31日(2019.7.31)
【手続補正１】
【補正対象書類名】特許請求の範囲
【補正対象項目名】全文
【補正方法】変更
【補正の内容】
【特許請求の範囲】
【請求項１】
光発電装置において、
外光を集光する集光機構と、
光起電力効果を利用して光エネルギーを電力に変換する第１の光発電モジュールと、
光起電力効果を利用して光エネルギーを電力に変換すると共に、光電変換特性が前記第１の光発電モジュールとは異なる第２の光発電モジュールと、
前記第１の光発電モジュールが設置された第１の設置面と、前記第２の光発電モジュールが設置された第２の設置面とを有する設置台と、前記設置台を変位させることによって、前記第１の設置面および前記第２の設置面のいずれかを外光の光路上に位置させる駆動機構とを有し、外光の入射先として、前記第１の光発電モジュールと前記第２の光発電モジュールとを切り替える切替機構と、
前記設置台にて生じた熱を外部の熱源とするために吸収する吸収素材とを有し、
前記設置台は、前記集光機構から出射された外光の光路上に配置されていると共に、回転軸を介して、前記駆動機構によって回転方向に変位し、
前記回転軸は、前記回転軸から前記第１の光発電モジュールまでの距離と、前記回転軸から前記第２の光発電モジュールまでの距離とが異なるように、前記設置台に偏心して取り付けられていることを特徴とする光発電装置。